(57)【要約】【課題】電子部品の側面の各端子部とソケットハウジングの側壁側に存在する各コンタクトの弾性接触片との電気的接触を安定させることができる電子部品取付用ソケットを得る。【解決手段】底板５ａの周辺より立ち上げた周壁５ｂで囲んで電子部品収容室６を形成し、電子部品収容室６内に、側面に複数の端子部２を設けた電子部品１を挿入するソケットハンジング５と、このハウジング５の電子部品収容室６内に周壁５ｂの内面より突出させて電子部品１の側面の複数の端子部２に接触させる弾性接触片７ａをそれぞれ有する複数のコンタクト７と、周壁５ｂより電子部品収容室６内に突出し、電子部品１の外面に係止される弾性固定片８ａを有する電子部品固定金具８とを備えている。ソケットハンジング５の電子部品収容室６内の底部に、電子部品１の底面を押し上げる方向に付勢する付勢手段９を設ける。【選択図】図１
2008159340.tif 000002
【特許請求の範囲】
【請求項１】
底板の周辺より立ち上げた周壁で囲まれた電子部品収容室を有し、該電子部品収容室内に、側面に複数の端子部を設けた電子部品が挿入されるソケットハンジングと、該ハウジングの前記電子部品収容室内に前記周壁の内面より突出させて前記電子部品の側面の複数の前記端子部に接触させる弾性接触片をそれぞれ有する複数のコンタクトと、前記周壁より前記電子部品収容室内に突出し、前記電子部品の外面に係止される弾性固定片を有する電子部品固定金具とを備えた電子部品取付用ソケットであって、
前記ソケットハンジングの前記電子部品収容室内の底部に、前記電子部品の底面を押し上げる方向に付勢する付勢手段が設けられていることを特徴とする電子部品取付用ソケット。
【請求項２】
前記付勢手段は弾性ばねにより構成されていることを特徴とする請求項１に記載の電子部品取付用ソケット。
【請求項３】
前記弾性固定片を有する電子部品固定金具は前記電子部品の外面の周方向に間隔をあけて複数箇所で前記電子部品の外面を支持する構造になっており、前記付勢手段を構成する弾性ばねは前記各弾性固定片の存在箇所に対応してそれぞれ配置されていることを特徴とする請求項２に記載の電子部品取付用ソケット。
【発明の詳細な説明】
【技術分野】
【０００１】
本発明は、主にセンサモジュールや半導体素子等の電子部品を、プリント配線基板に電気的に接続した状態で取り付けるための電子部品取付用ソケットに関する。
【背景技術】
【０００２】
従来、携帯電話機等の電子機器は、その内部にプリント配線基板を備え、そのプリント配線基板に、センサモジュールや、その他の半導体素子等の電子部品を取り付けるようになっており、熱に弱い電子部品は、直接半田付けによって取り付けることができないので、電子部品取付用ソケットを用いてプリント配線基板に接続するようにしている。
【０００３】
従来の電子部品取付用ソケットは、底板の周辺より立ち上げた周壁で囲まれた電子部品収容室を有し、該電子部品収容室内に電子部品が挿入されるソケットハンジングと、該ハウジングの電子部品収容室内にその底部より突出した弾性接触片をそれぞれ有する複数のコンタクトと、前記周壁より電子部品収容室内に突出し、電子部品の外面に係止される弾性固定片を有する電子部品固定金具とを備えている。このような電子部品取付用ソケットは、電子部品収容室内に電子部品を挿入し、該電子部品の外面に弾性固定片を係止させることによって、電子部品が電子部品収容室内に保持され、電子部品の底面の複数の端子部が対応する各コンタクトの弾性接触片に電気的に接続されるようになっている（例えば、特許文献１参照。）。
【０００４】
このような構造の電子部品取付用ソケットでは、電子部品の外面に弾性固定片を係止させ、電子部品の底面を各コンタクトの弾性接触片が上向きに押し上げているので、電子部品は上下方向に隙間なく安定して保持されるので、電子部品の底面の複数の端子部と対応する各コンタクトの弾性接触片とが安定した電気的接触を維持でき、電気的接続状態を安定させることができる。
【０００５】
これとは別に、最近、電子部品をその側面に沿って複数の端子部を設け、電子部品取付用ソケットは複数のコンタクトの弾性接触片をソケットハンジングの周壁の内面に沿って設けた構造のものがユーザーより望まれている。この場合、電子部品取付用ソケットは、電子部品の複数の端子部に対応する複数のコンタクトの弾性接触片をソケットハンジングの周壁の内面に沿って設け、周壁で囲まれた電子部品収容室内に収容した電子部品をその外面の各係止溝に電子部品固定金具の弾性固定片を嵌めて係止させる構造のものとなる。
【特許文献１】特開２００５−１５００５２号公報
【発明の開示】
【発明が解決しようとする課題】
【０００６】
しかしながら、このように電子部品の側面に設けた複数の端子部に、ソケットハウジングの周壁の内面に突設した各コンタクトの弾性接触片で接触させて電気的に接続する構造の電子部品取付用ソケットでは、電子部品はその外面に電子部品固定金具の弾性固定片を係止させているだけなので、各部品の公差等により電子部品が上下振動し得ることになり、電子部品の側面の各端子部とソケットハウジングの各コンタクトの弾性接触片との電気的接触が不安定になり、電子部品とソケットとの電気的接続状態を安定させることができない問題点がある。
【０００７】
本発明の目的は、電子部品の側面の各端子部とソケットハウジングの側壁側に存在する各コンタクトの弾性接触片との電気的接触を安定させることができる電子部品取付用ソケットを提供することにある。
【課題を解決するための手段】
【０００８】
上記の如き従来の問題を解決し、所期の目的を達成するための請求項１に記載の発明は、底板の周辺より立ち上げた周壁で囲まれた電子部品収容室を有し、該電子部品収容室内に、側面に複数の端子部を設けた電子部品が挿入されるソケットハンジングと、該ハウジングの前記電子部品収容室内に前記周壁の内面より突出させて前記電子部品の側面の複数の前記端子部に接触させる弾性接触片をそれぞれ有する複数のコンタクトと、前記周壁より前記電子部品収容室内に突出し、前記電子部品の外面に係止される弾性固定片を有する電子部品固定金具とを備えた電子部品取付用ソケットであって、
前記ソケットハンジングの前記電子部品収容室内の底部に、前記電子部品の底面を押し上げる方向に付勢する付勢手段が設けられていることを特徴とする。
【０００９】
請求項２に記載の発明は、請求項１の構成に加え、前記付勢手段は弾性ばねにより構成されていることを特徴とする。
【００１０】
請求項３に記載の発明は、請求項２の構成に加え、前記弾性固定片を有する電子部品固定金具は前記電子部品の外面の周方向に間隔をあけて複数箇所で前記電子部品の外面を支持する構造になっており、前記付勢手段を構成する弾性ばねは前記各弾性固定片の存在箇所に対応してそれぞれ配置されていることを特徴とする。
【発明の効果】
【００１１】
本発明の電子部品取付用ソケットでは、ソケットハンジングの電子部品収容室内の底部に、電子部品の底面を押し上げる方向に付勢する付勢手段が設けられているので、ソケットハンジングの周壁側から突設されて電子部品の外面に係止される弾性固定片との相互作用で電子部品が上下に振動し得なくなり、電子部品の側面の各端子部とソケットハウジングの各コンタクトの弾性接触片との電気的接触を安定させることができる。
【００１２】
また、付勢手段は弾性ばねにより構成することによって、付勢手段を低コストで形成でき、コストアップを最小限にして実施することができる。
【００１３】
さらに、弾性固定片を有する電子部品固定金具を電子部品の外面の周方向に間隔をあけて複数箇所で電子部品の外面を支持する構造にし、付勢手段を構成する弾性ばねを各弾性固定片の存在箇所に対応してそれぞれ配置することによって、各弾性固定片を有する電子部品固定金具の存在箇所に対応して電子部品の下面を弾性ばねで押し上げることになり、安定して電子部品を上下から保持させることができる。
【発明を実施するための最良の形態】
【００１４】
以下、本発明に係る電子部品取付用ソケットを実施するための最良の形態を、図面を参照して詳細に説明する。
【００１５】
図１乃至図４は本発明に係る電子部品取付用ソケットの一実施例を示したもので、図１は本例の電子部品とこれが接続される本例の電子部品取付用ソケットとのソケットを縦断して示した側面図、図２は本例の電子部品取付用ソケットに電子部品を嵌めた状態の縦断面図、図３は本例の電子部品取付用ソケットの平面図、図４は図３のＡ−Ａ′線断面図である。
【００１６】
本例では、センサモジュールや半導体素子等の電子部品１は、その外周の少なくとも下部が正方形状をしていて、この正方形状をした側面の下部に沿って複数の端子部２が設けられ、正方形状をした側面の上部の四隅に係止溝３が設けられた構造になっている。
【００１７】
この電子部品１を接続する電子部品取付用ソケット４は、底板５ａの周辺より周壁５ｂを立ち上げて内部に電子部品収容室６を構成し、該電子部品収容室６内に電子部品１が挿入されるようになっているソケットハンジング５と、該ソケットハウジング５の電子部品収容室６内にその周壁５ｂより突出した弾性接触片７ａをそれぞれ有する複数のコンタクト７と、周壁５ａより電子部品収容室６内に突出し、電子部品１の外面四隅の各係止溝３に係止される弾性固定片８ａを有する電子部品固定金具８とを備えている。特に、ソケットハンジング５には、その電子部品収容室６内の底部における周囲の部分に、電子部品１の底面を押し上げる方向に付勢する付勢手段９が設けられている。本例の付勢手段９は、弾性ばねで構成されている。付勢手段９を構成する弾性ばねは、電子部品１の各係止溝３に対応してソケットハウジング５の周壁５ｂの四隅に設けられている。ソケットハウジング５の周壁５ｂの外面に沿ってシールド板１０が取り付けられている。
【００１８】
各コンタクト７は、ソケットハウジング５の周壁５ｂの４辺に所定ピッチで設けられた溝１１に組み込まれている。弾性接触片７ａは、通常は電子部品収容室６内に突出されていて、電子部品１の挿入時に溝１２内に後退しつつ端子部２に接触するようになっている。電子部品固定金具８は、ソケットハウジング５の周壁５ｂの四隅に溝１２をそれぞれ設けられて、これらの溝１２の箇所に設けられている。弾性固定片８ａは、通常は電子部品収容室６内に突出されていて、電子部品１の挿入時に溝１２内に後退するようになっている。付勢手段９を構成する弾性ばねは、その逆Ｕ状の基部９ａがソケットハウジング５の周壁５ｂの四隅の溝１３に組み込まれている。基部９ａの先で付勢手段９を構成している弾性ばねは板状をしていて、電子部品収容室６内に傾斜状態で突出されている。ソケットハウジング５の底板５ａには、電子部品１の挿入時に電子部品１の底部で押されて後退できるように開口溝１４が形成されている。
【００１９】
このような電子部品取付用ソケット４では、ソケットハンジング５の電子部品収容室６内の底部に、電子部品１の底面を押し上げる方向に付勢する付勢手段９が設けられているので、ソケットハンジング５の周壁５ｂ側から突設されて電子部品１の外面に係止される弾性固定片８ａとの相互作用で電子部品１が上下に振動し得なくなり、電子部品１の側面の各端子部３とソケットハウジング５の各コンタクト７の弾性接触片７ａとの電気的接触を安定させることができる。また、付勢手段９を弾性ばねにより構成することによって、この付勢手段９を低コストで形成でき、コストアップを最小限にして実施することができる。さらに、弾性固定片８ａを有する電子部品固定金具８を電子部品１の外面の周方向に間隔をあけて複数箇所で電子部品１の外面を支持する構造にし、付勢手段９を構成する弾性ばねを各弾性固定片８ａの存在箇所に対応してそれぞれ配置しているので、各弾性固定片８ａを有する電子部品固定金具８の存在箇所に対応して電子部品１の下面を付勢手段９を構成する弾性ばねで押し上げることになり、安定して電子部品１を上下から保持させることができる。
【図面の簡単な説明】
【００２０】
【図１】本発明に係る電子部品取付用ソケットの一実施例で、本例の電子部品とこれが接続される本例の電子部品取付用ソケットとのソケットを縦断して示した側面図である。
【図２】本例の電子部品取付用ソケットに電子部品を嵌めた状態の縦断面図である。
【図３】本例の電子部品取付用ソケットの平面図である。
【図４】図３のＡ−Ａ′線断面図である。
【符号の説明】
【００２１】
１  電子部品
２  端子部
３  係止溝
４  電子部品取付用ソケット
５  ソケットハンジング
５ａ  底板
５ｂ  周壁
６  電子部品収容室
７  コンタクト
７ａ  弾性接触片
８  電子部品固定金具
８ａ  弾性固定片
９  付勢手段
１０  シールド板
【図１】
2008159340.tif 000003
【図２】
2008159340.tif 000004
【図３】
2008159340.tif 000005
【図４】
2008159340.tif 000006